(57)【要約】複数の供給源からのドキュメントにおけるドキュメントの描写データを受信する段階を含む受信機装置でドキュメントの描写データを処理するための方法。かかる方法は、各供給源の機能として、供給源の分類にしたがって属性値からの共通の分類による属性値を引き出すための情報を含む変換テーブルを提供する段階と、供給源によって提供される与えられたドキュメントに関する描写データから属性値を抽出する段階と、適切な変換テーブルの支援でかかる与えられたドキュメントにおける共通分類にしたがって属性値を決定する段階と、かかる共通分類での与えられたドキュメントをインデックス付けする段階とによって特徴付けられる。
2004527035.tif 000002
【特許請求の範囲】
【請求項１】
複数の供給源からのドキュメントにおけるドキュメントの描写データを受信する段階を含む受信機装置で前記ドキュメントの描写データを処理するための方法であって、該方法は、
−各供給源の機能として、供給源の分類にしたがって属性値からの共通分類による属性値を引き出すための情報を含む変換テーブルを提供する段階と、
−前記供給源によって提供される与えられたドキュメントに関する描写データから前記属性値を抽出する段階と、
−前記適切な変換テーブルの支援で前記与えられたドキュメントにおける前記共通分類にしたがって前記属性値を決定する段階と、
−前記共通分類での前記与えられたドキュメントをインデックス付けする段階と、
によって特徴とされる方法。
【請求項２】
前記供給源によって使用される前記分類が変わる場合に前記変換テーブルの更新段階をさらに含むことを特徴とする請求項１に記載の方法。
【請求項３】
新規の供給源がネットワークに接続された場合、前記変換テーブルを追加する段階をさらに含むことを特徴とする請求項１に記載の方法。
【請求項４】
前記属性値の抽出段階は、追加的な属性値を抽出するために前記ドキュメントの供給源によって提供される少なくとも一つの属性値を解析する段階を含むことを特徴とする請求項１乃至３のいずれか一項に記載の方法。
【請求項５】
前記変換テーブルは、前記共通分類の前記供給源の分類における属性値の前記属性値に関連するルックアップテーブルを含むことを特徴とする請求項１乃至４のいずれか一項に記載の方法。
【請求項６】
前記変換テーブルは、前記供給源によって提供される前記複数の属性値からの前記共通分類の前記与えられた属性値を引き出すための１セットの機能を含むことを特徴とする請求項１乃至５のいずれか一項に記載の方法。
【請求項７】
前記共通分類の前記与えられた属性値を決定するために使用される前記供給源によって提供される前記複数の属性値は、複数の異なる属性からなることを特徴とする請求項６に記載の方法。
【発明の詳細な説明】
【技術分野】
【０００１】
本発明は、コンテンツ（ｃｏｎｔｅｎｔ）の描写データに関し、特に複数の供給源から受信されるプログラムガイドデータを処理する方法に関する。本発明は、例えば、ネットワークに接続された装置がコンテンツのデータを提供する際のホームネットワークのフレームで使用でき得る。
【背景技術】
【０００２】
描写は、ホームネットワークにおいて利用可能な個々のドキュメント（オーディオ又はビデオファイル、静止画像、テキストファイル、実行可能なコードなど）に関係している。かかる描写は、多少なりとも的確かもしれない。かかる描写は、単にドキュメントのタイトルであるかもしれないし、又はドキュメントの内容に依存する多くのアイテムを含むかもしれない。例えば、映像の描写は、概要、俳優のリスト、直ちに利用可能でないドキュメントのための放送時間などを含み得る。
【０００３】
異なる供給源によって提供される描写は、一般的に均質ではない。例えば、ドキュメンタリーについては、あるウェブサイトから利用可能な最初のテレビ番組ガイドは、「ドキュメンタリー」としての値の単一な「テーマ」の属性をリスト化するだろう。ＤＶＢサービス情報表で利用可能な同様のドキュメントの描写は周期的に放送して、テレビ受信機／デコーダによって受信され、「ノンフィクション」としての値の属性の「タイプ」と、「ドキュメンタリー」としての値の属性の「サブタイプ」を含んでよい。ドキュメントの分類は、プロバイダに依存する。
【０００４】
異なる供給源から同様のドキュメントを検索するために、ユーザは各分類に個別にアクセスし、各供給源を承知していなければならない。
【発明の開示】
【発明が解決しようとする課題】
【０００５】
本発明は、複数の供給源からのドキュメントにおけるドキュメントの描写データを受信する段階を含む受信機装置でドキュメントの描写データを処理するための方法に関し、かかる方法は、
−各供給源の機能として、供給源の分類にしたがって属性値からの共通の分類による属性値を引き出すための情報を含む変換テーブルを提供する段階と、
−供給源によって提供される与えられたドキュメントに関する描写データから属性値を抽出する段階と、
−適切な変換テーブルの支援でかかる与えられたドキュメントにおける共通分類にしたがって属性値を決定する段階と、
−かかる共通分類での与えられたドキュメントをインデックス付けする段階と、
によって特徴付けられる。
【０００６】
独特なデータベースの分類は、ユーザが捜しているドキュメントが、アクセスしなければならない単なる１つのデータベースであることをユーザが容易に知ることを可能にする。さらに、ユーザは彼の質問を公式化するためにネットワーク上のドキュメントの源泉は何であるかを知る必要がない。
【０００７】
各供給源の変換テーブルの使用は、供給源分類又は共通分類のいずれかの変更の場合の容易な更新を可能にする。
【課題を解決するための手段】
【０００８】
特定の実施態様によると、本方法は、供給源によって使用される分類が変わる場合に変換テーブルの更新段階をさらに含む。
【０００９】
供給源が更新された場合、例えば、新しいミュージカルのトレンドは音楽サポート購入ウェブサイトの分類に追加されて、対応する変換モジュールは同様にして容易に更新されてよい。
【００１０】
特定の実施態様によると、本方法は、新規の供給源がネットワークに接続された場合、変換テーブルを追加する段階をさらに含む。
【００１１】
新規の供給源が接続される場合、新規の変換モジュールが必要とされるかもしれない。例えば、ビデオレンタルウェブサイトなど、ユーザが新しいサービスを予約する場合、対応する変換モジュールは、ユーザの変換モジュールに追加されるようにウェブサイトからダウンロードされる。
【００１２】
特定の実施態様によると、属性値の抽出段階は、追加的な属性値を抽出するためにドキュメントの供給源によって提供される少なくとも一つの属性値を解析する段階を含む。
【００１３】
ドキュメントを描写する供給源によって提供される、ある分野は明確にラベル付けされていない追加的な情報を含んでよい。例えば、イベントの概要は、キーワード、役者名、日付、時間及び分野内容の解析によって、かつその内容の明確なラベル付けによって利用可能となる、他の情報を含んでよい。分野を解析する目的において、かかる供給源の変換テーブルは、分野の内部構造の描写を提供してよい。
【００１４】
特定の実施態様によると、変換テーブルは、共通分類の供給源の分類における属性値の属性値に関連するルックアップテーブルを含む。
【００１５】
特定の実施態様によると、変換テーブルは、供給源によって提供される複数の属性値からの共通分類の与えられた属性値を引き出すための１セットの機能を含む。
【００１６】
特定の実施態様によると、共通分類の与えられた属性値を決定するために使用される供給源によって提供される複数の属性値は、複数の異なる属性からなる。
【発明の効果】
【００１７】
本発明は、
−各供給源の機能として、供給源の分類にしたがって属性値からの共通分類による属性値を引き出すための情報を含む変換テーブルを提供する段階と、
−供給源によって提供される与えられたドキュメントに関する描写データから属性値を抽出する段階と、
−適切な変換テーブルの支援でかかる与えられたドキュメントにおける共通分類にしたがって属性値を決定する段階と、
−かかる共通分類での与えられたドキュメントをインデックス付けする段階と、
によって特徴付けられる、複数の供給源からのドキュメントにおけるドキュメントの描写データを受信する段階を含む受信機装置でドキュメントの描写データを処理するための方法を提供できる。
【発明を実施するための最良の形態】
【００１８】
他の特徴及び利点は、添付図と共に説明される、本発明の限定しない実施態様の記載から明白になるであろう。
【００１９】
図１のホームネットワークは、多くの装置が接続される、例えばＩＥＥＥ１３９４シリアルバスなどの通信媒体１を有する。ネットワークの装置において、例えば、ハードディスクドライブであるローカル記憶装置２及び７は、ビデオ及びオーディオの連続又はファイル、静止画像及びテキストファイル、実行可能なファイル、下記において総体的に呼ばれるドキュメントを記録する。カムコーダ３及びデジタルカメラ４は、ビデオ、オーディオ及びピクチャーファイルの別の供給源である。ネットワークはまた、ゲートウェイ装置（例示されていない）を介してインターネット５に接続される。他のタイプのファイルと同様に、さらなるビデオ及びオーディオファイルは、テープに基づいたデジタル記憶装置６から利用可能であると同様に、この供給源から利用可能である。デジタルテレビデコーダ７は、異なるチャンネルにおける異なるプログラムガイドに対してアクセスを与える。最後にまた、表示装置９はネットワークに接続される。
【００２０】
本実施態様によると、表示装置９は、ネットワークの他の装置からドキュメントの描写を検索し、ユーザにとって明確性を維持する供給源に関係なくネットワークで利用可能なすべてのドキュメントの視野をユーザに提供するために、描写を処理する。各ドキュメントの描写は検索に基づいて分析されて、独特で均質な分類にしたがってドキュメントを再分類するために使用される。
【００２１】
図２は本発明の原理を例示する。図の左側で、電子プログラムガイドの多数の異なる供給源が示されている。それらの供給源は、各供給源からドキュメントの記述を抽出かつ解析し、さらに独特の分類から各ドキュメントに属性を再選定する役割の変換モジュールによってタッピングされる。各供給源の個々の分類は周知であり（例えば、あるＤＶＢ互換性のプロバイダーは標準的なＤＶＢサービス情報フォーマットを使用するであろう）、一方で他の場合、かかる分類は専用であるかもしれない（ウェブサイトか、又はある放送局から利用可能な電子プログラムガイド）。
【００２２】
本事例において、共通分類にしたがってドキュメントの描写を含有する変換器及びマルチメディアデータベースは、ドキュメントに関係なくユーザの質問のためにユーザによって装置９がアクセスされるので、装置９によるアプリケーションランによって管理される。
【００２３】
新規の装置がネットワークに接続される場合か、又は供給源から利用可能な描写が修正される場合、共通のマルチメディアデータベースは更新されなければならない。
【００２４】
共通分類にしたがって同様の手法でドキュメントを分類するために、各供給源の分類の構造が見られるように、少なくとも幾つかのコンテンツを知る必要がある。この構造は、変換テーブルと呼ばれて記載され、テキストファイルの形態となり得る。
【００２５】
図３は、ドキュメントをマルチメディアデータベースに挿入するために装置９の適用によって供給源のデータを例示する図である。
【００２６】
事例の目的において、ドキュメントはビデオの流れであるが、しかしドキュメントにおける別のタイプの処理は同様であろうことが支持されるであろう。
【００２７】
図３の処理が開始される前に、再分類されるドキュメントの供給源は適用によって決定されて、その結果、適切な変換テーブルが適用できることが支持される。
【００２８】
第一段階において、ドキュメントに関する描写データは、供給源の分類フォーマットを記載する、適切な変換テーブルテキストファイルに基づいて、解析者によって解析される。図３の例によると、抽出された属性は、タイトル、テキスト分野、親の格付け、キーワードのリスト及びビットマップファイルである。他のデータは、一般的に、放送時間及び日付を含む。
【００２９】
本実施態様によると、より詳細に属性値がさらに抽出できるかどうかを決定するために、ある属性値、特にテキスト分野をさらに解析する。図３のテキスト分野は、ディレクター名、俳優のリスト、封切りの年、概要及びタイプの提示を含む。これらの異なるアイテムはそれら自身の属性であり、それらアイテムは供給源によって異なる分野でコード化の必要性はないが、異なる分野に分割するための再分類において有利である。かかる分割は、概要からキーワードを抽出することによって、さらなるレベルまで分割される。それらキーワードは、供給源によって明白に利用可能になることに加えて使用できる。
【００３０】
ビットマップからより明確な属性を抽出することができなければ、ビットマップなどの属性値は一般的に変換に影響を与えず、変換及びマルチメディアデータベースへ挿入する目的など必ずしも利用可能である必要がない。これは、ローカル径路（例えば、ネットワークの記憶装置に）又は遠隔径路（例えば、ウェブサイト、サーバーに）であってよい、それらの属性値が記憶される場合に、経路を示すことが十分である。
【００３１】
下記の抽出、属性値は再フォーマットされるために必要とするかもしれない。例えば、俳優のリストはアルファベット順で配置されてよい。
【００３２】
第二段階において、供給源のフォーマットの描写は、共通分類のフォーマットの描写に変換される。ある属性だけが、この目的のために使用されることを必要とする。タイトル若しくはビットマップなどの特定のドキュメントだけの特徴であるか、又は明確な意味を有する属性は、分類（例えば、開始時間、終了時間、持続期間）が何でも、修正される必要がなく、簡素な再フォーマットを除外するように使用されるだろう。例えば、共通分類の属性「タイトル」は最大長を有してよく、供給源分類の属性値が最大長さよりも長い場合は、切り詰められる。
【００３３】
特にドキュメントの分類を確定する他の属性値（キーワード、テーマ、サブテーマ、親の格付け）は、一般的に変換されることが必要であるだろう。例えば、供給源の分類において、親の格付けは、映画のターゲットを特徴付ける年齢層（１３歳未満、１３歳以上、１６歳以上など）に存在するかもしれないし、一方、共通分類において、親の格付けは、文字コード（ＰＧは保護者の指導、Ｒは制限など）に存在するかもしれない。変換の目的において、対応する変換テーブルは、２つの親の格付けシステム間での一致を与える、ルックアップテーブルを含む。
【００３４】
別の重要な例は、テーマなどの属性の変換に関する。供給源の分類は、各目的における一つ以上のメインテーマと、各メインテーマにおける一つ以上のサブテーマを含む、テーマの分類を使用してよい。例えば、「アドベンチャー」、「スリラー」、「スポーツ」は供給源の分類でのテーマにおける可能な値を構成し、一方で、「フットボール」、「スケート」及び「アスレチック」は「スポーツ」におけるサブテーマの可能な値を構成する。共通分類は、供給源の分類より簡素であってよく、つまり、サブテーマでなくテーマを使用し、又はより複雑であってよく、さらにテーマの階層に別のレベルを加えてよい。各レベルにおいて、供給源の分類及び共通分類は可能な値の異なる数を有してよい。
【００３５】
図３によると、新しい属性値が加えられることになっているが、新しい属性タイプでない場合、変換器部分だけが更新されることを必要とすることを注意する。抽出部分は有利に同一のままである。
【００３６】
本実施態様によると、かかる属性の的確な変換を達成するために、供給源の分類の同一性状の数多の属性値は、共通分類の属性値を決定するために使用される。
【００３７】
さらに、異なる性状の属性は、変換を改善するために交差される。
【００３８】
それらのコンセプトを使用する例がここで与えられるだろう。
【００３９】
供給源の分類は、与えられた映画における下記のテーマ値をリスト化する。
【００４０】
「アクション」、「アドベンチャー」、「ミステリー」、「スリラー」
さらに、下記のキーワードをリスト化する。
【００４１】
「スパイ」、「続編」
上に記載のキーワードは、供給源によって明確に提供されるか、又は供給源によって提供された概要から抽出される。
【００４２】
供給源の分類は、どんなサブテーマをも有しない。
【００４３】
共通分類はテーマ及びサブテーマの属性を有する。一つだけのサブテーマである、この特定のテーマの属性値において、一つのテーマの属性値だけが選択されてよい。
【００４４】
変換は下記の規則にしたがって実行される。それらの規則は、属性値抽出のために使用された供給源の分類構造と、すでに記載された格付け変換などの他のタイプの変換に関するルックアップテーブルに沿って変換テーブルで記憶される。
【００４５】
（ａ）テーマ値の選択は、下記のように実行される。
【００４６】
変換テーブルは、優先度にしたがってテーマ属性値をリスト化する。変換モジュールは、リストの第一テーマ値の存在を確認し、さらにかかる値が供給源によって提供された値で見うけられない場合、モジュールは値が見受けられるまで次ぎの値などを確認する。
【００４７】
各々のリスト化されたテーマ値において、変換テーブルは共通分類のテーマ値を提供する。かかる値は、共通分類の単一テーマの属性値として使用されるだろう。
【００４８】
本事例の目的において、供給源によって提供され、最も高い優先度を有する属性値は「アクション」であって、共通分類の対応する属性値は「アドベンチャー」であることを我々は仮定する。
【００４９】
変換テーブルの対応する部分は、下記のように見てよい。
【００５０】
供給源＿テーマ＝ＸＸＸＸＸである場合、共通＿テーマ＝ＹＹＹＹＹである。
【００５１】
テーマ値の属性を改善するために、幾つかの供給源の属性値を組み合わせる論理規則が使用される。かかる規則の例として、変換テーブルに記憶される。
【００５２】
供給源＿テーマ＿値が「スペース」を含み、かつ、供給源＿テーマ＿値が「レーザー」を含む場合、共通＿テーマ＝「サイエンスフィクション」である。
【００５３】
この規則は、２つの値の同時の存在から発生する曖昧さを回避するので、供給源のテーマ値の存在において個別に確認する規則よりも一般的には優先度が高い。
【００５４】
（ｂ）サブテーマの値選択は下記のように実行される。
【００５５】
上に記載のように、供給源の分類にサブテーマは存在しない。そのような場合、異なる属性のタイプからの値は交差される。本実施態様により、テーマの属性値とキーワードの属性値はサブテーマを定義するために共に使用される。この目的において、変換テーブルは、優先度によって順序づけられた規則のリストを含む。優先度の順序で、規則のうちの一つが適用されてもされなくても、変換モジュールは供給源によって提供されて与えられた属性値を確認する。
【００５６】
本事例の目的において、変換テーブルは下記の規則を含む。
【００５７】
供給源＿テーマ＿値が「アクション」を含み、かつ、供給源＿キーワードが｛「スパイ活動」、「スパイ」、「シークレット」、「エージェント」｝のリストにある場合、共通＿サブ＿テーマ＝「スパイ活動」である。
【００５８】
供給源＿テーマ＿値が「ウェスタン」を含む場合、共通＿サブ＿テーマ＝「ウェスタン」である。
【００５９】
本事例において、サブテーマは「スパイ活動」であるだろう。第二規則から分かるように、サブテーマはまた、キーワードの支援がなくても、一つ以上のテーマから直接的に引き出すことができる。
【００６０】
規則の別の例は下記である。
【００６１】
供給源＿テーマ＿値が「コメディー」を含み、かつ、供給源＿テーマ＿値が「ドラマ」を含む場合、共通＿サブ＿テーマ＝「ドラマチックなコメディー」である。
【００６２】
当然の事として、テーマ又はキーワード以上の他の属性は、同一に取り扱うことができる。さらに、２つ以上の属性タイプは、変換テーブルで改善された規則で使用されてよい。さらに、共通分類の属性値はキーワードだけを使用して定義されてよい。
【００６３】
（ｃ）キーワード値は下記のように選択される。
【００６４】
本実施態様にしたがって、キーワードは共通分類などのように使用される。選択を制限し得る共通分類におけるキーワードの所定リストは存在しない。最大数のキーワードなどの他の制限が存在してよい。
【００６５】
第三段階において、ドキュメントのコンテンツの描写データが一旦変換されると、つまり共通分類のフォーマットに基づき利用可能であれば、ドキュメントはグローバルなデータベースでインデックス付けされる。
【００６６】
表１は、本実施態様で使用される共通分類の部分的な例である。表１は、ビデオドキュメントタイプ（第一カラム）、ビデオドキュメントテーマ（第二カラム）及びビデオドキュメントサブテーマ（第三カラム）を含む。コードはすべての属性値（第四カラム）と関連する。コードは三つの１６進法数字からなり、各々はレベル（タイプ、テーマ、サブテーマ）を表す。
【００６７】
【表１】
2004527035.tif 000003
本実施態様において、個別の変換テーブルが各供給源において提供されるが、本発明はそのような実施態様に限定されない。確かに、単一のテーブルは、ある規則がどの供給源に適用されるか示す適切なインデックスと共に使用されてもよい。他の実施は除外されない。
【図面の簡単な説明】
【００６８】
【図１】ホームネットワークの概略図である。
【図２】本発明の実施態様によるコンテンツ描写データ連結モジュールによって実行される異なるコンテンツ描写データの処理原理を例示するブロック図である。
【図３】異なる供給源によって提供されるコンテンツ描写データで実行された異なるタイプの処理をより詳細に例示する図である。
【図１】
2004527035.tif 000004
【図２】
2004527035.tif 000005
【図３】
2004527035.tif 000006
【国際公開パンフレット】
2004527035.tif 000007
2004527035.tif 000008
2004527035.tif 000009
2004527035.tif 000010
2004527035.tif 000011
2004527035.tif 000012
2004527035.tif 000013
2004527035.tif 000014
2004527035.tif 000015
2004527035.tif 000016
2004527035.tif 000017
2004527035.tif 000018
2004527035.tif 000019
2004527035.tif 000020
2004527035.tif 000021
2004527035.tif 000022
【国際調査報告】
2004527035.tif 000023
2004527035.tif 000024
2004527035.tif 000025